(57)【要約】【課題】複数のコンテンツを、違和感なく、より自然に出力させる。【解決手段】相互の関係性を定義した複数のコンテンツを記憶するコンテンツメモリ20と、コンテンツメモリ20で記憶するコンテンツを出力する再生系21〜25，30，31と、人の存在を検出する人感センサPEと、人感センサPEで人の存在が検出されない場合、その時点で出力しているコンテンツと次に出力予定のコンテンツとの関係性に基づいて再生するコンテンツを切替えるＣＰＵ26とを備える。【選択図】図１
2017011378.tif 000002
【特許請求の範囲】
【請求項１】
人の存在を検出する検出手段と、
コンテンツを出力する出力手段と、
上記検出手段で人の存在が検出されない場合、出力しているコンテンツと次に出力予定のコンテンツとの関係性に基づいて上記出力手段で出力するコンテンツを切替える制御手段と、
を備えることを特徴とするコンテンツ出力装置。
【請求項２】
相互の関係性を定義した複数のコンテンツを記憶する記憶手段をさらに備え、
上記出力手段は、上記記憶手段で記憶するコンテンツを出力する
ことを特徴とする請求項１記載のコンテンツ出力装置。
【請求項３】
上記検出手段で人の存在が検出されない継続時間を計時する計時手段をさらに備え、
上記制御手段は、上記計時手段の計時値を予め設定した閾値と比較し、その比較結果に基づいて上記記憶手段から対応する関係性のコンテンツを選択して読出し、上記出力手段で出力させる
ことを特徴とする請求項２記載のコンテンツ出力装置。
【請求項４】
上記制御手段は、上記計時手段の計時値を予め設定した閾値と比較し、その比較結果に基づいて上記記憶手段から対応する関係性のコンテンツをランダムに選択して読出し、上記出力手段で出力させる
ことを特徴とする請求項３記載のコンテンツ出力装置。
【請求項５】
上記記憶手段は、人の存在が検出されない状態で出力する不在時用コンテンツをさらに記憶し、
上記制御手段は、上記計時手段の計時値を予め設定した閾値と比較し、その比較結果に基づいて上記記憶手段から不在時用コンテンツを選択して読出し、上記出力手段で出力させる
ことを特徴とする請求項３または４記載のコンテンツ出力装置。
【請求項６】
コンテンツを出力する出力部とを備えた装置でのコンテンツ出力方法であって、
人の存在を検出する検出工程と、
上記検出工程で人の存在が検出されない場合、その時点で出力しているコンテンツと次に出力予定のコンテンツとの関係性に基づいて上記出力部で出力するコンテンツを切替える制御工程と、
を有することを特徴とするコンテンツ出力方法。
【請求項７】
コンテンツを出力する出力部とを備えた装置が内蔵するコンピュータが実行するプログラムであって、上記コンピュータを、
人の存在を検出する検出手段、及び
上記検出手段で人の存在が検出されない場合、その時点で出力しているコンテンツと次に出力予定のコンテンツとの関係性に基づいて上記出力部で出力するコンテンツを切替える制御手段、
として機能させることを特徴とするプログラム。
【発明の詳細な説明】
【技術分野】
【０００１】
本発明は、コンテンツ出力装置、コンテンツ出力方法及びプログラムに関する。
【背景技術】
【０００２】
閲覧者に対する印象を高めるべく、コンテンツの輪郭の形状に形成されたスクリーンに映像コンテンツを投影するようにした映像出力装置が提案されている。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術において、人感センサの出力によって映像コンテンツの投影のオン／オフを制御する旨の記載があるが、例えば装置真正面の人感センサで検出可能な範囲からは閲覧者がいなくなっても、装置の正面から外れた位置には当該閲覧者がまだ存在している可能性が十分にある。
【０００５】
そのため、人感センサでの検出結果に応じて映像コンテンツの投影のオン／オフを制御するようにした場合、閲覧客がまだ装置の近傍に存在しているにも拘わらず装置と閲覧者との相対位置関係によっては映像コンテンツの投影が唐突に不自然な形で終了されることも考えられる。
【０００６】
本発明は上記のような実情に鑑みてなされたもので、その目的とするところは、複数のコンテンツを、違和感なく、より自然に出力させることが可能なコンテンツ出力装置、コンテンツ出力方法及びプログラムを提供することにある。
【課題を解決するための手段】
【０００７】
本発明の一態様は、人の存在を検出する検出手段と、コンテンツを出力する出力手段と、上記検出手段で人の存在が検出されない場合、出力しているコンテンツと次に出力予定のコンテンツとの関係性に基づいて上記出力手段で出力するコンテンツを切替える制御手段と、を備えることを特徴とする。
【発明の効果】
【０００８】
本発明によれば、複数のコンテンツを、違和感なく、より自然に出力させることが可能となる。
【図面の簡単な説明】
【０００９】
【図１】本発明の一実施形態に係るサイネージ装置の機能回路の構成を示すブロック図。
【図２】同実施形態に係るコンテンツメモリに記憶される関連度テーブルの例を示す図。
【図３】同実施形態に係るプログラムメモリに記憶された切替時間テーブルの例を示す図。
【図４】同実施形態に係る動画コンテンツの再生順序制御の処理内容を示すフローチャート。
【図５】同実施形態に係る「動画Ａ」再生中に人が離脱した場合の人不在用の動画コンテンツの再生までの過程を例示する図。
【発明を実施するための形態】
【００１０】
以下、本発明を店舗で使用される、プロジェクタ技術を用いた電子マネキンであるサイネージ装置に適用した場合の一実施形態について、図面を参照して説明する。  
図１は、同実施形態に係るサイネージ装置１０の主として電子回路の機能構成を説明するブロック図である。
【００１１】
コンテンツメモリ２０は、関係性を持った複数のコンテンツデータと、サイネージ装置１０の前に人が存在しない場合のコンテンツデータとを記憶している。コンテンツメモリ２０が記憶するコンテンツデータは、サイネージ装置１０の前に人が存在しない場合のコンテンツデータを除いて、音データを付帯した動画コンテンツから構成される。  
さらにコンテンツメモリ２０には、ＴＯＣ（Ｔａｂｌｅ  Ｏｆ  Ｃｏｎｔｅｎｔｓ：目次）情報に付帯する情報として、その動画コンテンツと次に再生する動画コンテンツとの関連度を示す関連度テーブルを記憶している。
【００１２】
図２は、コンテンツメモリ２０に記憶される、関連度テーブルの例を示す。ここではコンテンツメモリ２０に５つの動画コンテンツ「動画Ａ」〜「動画Ｅ」が記憶され、サイネージ装置１０の前に人が存在する状態では、これら動画コンテンツを連続的、且つ循環的に再生するものとする。
【００１３】
図示するように、各動画コンテンツに対し、次に再生する動画コンテンツとの関連度を「なし」「低」「中」「高」の４段階で定義して記憶するものとする。
【００１４】
コンテンツメモリ２０から選択的に読出された動画コンテンツは、バスＢを介して投影画像駆動部２１に送られる。
【００１５】
上記投影画像駆動部２１は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子２２を表示駆動する。
【００１６】
このマイクロミラー素子２２は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００１７】
一方で、光源部２３から時分割でＲ，Ｇ，Ｂの原色光が循環的に出射される。光源部２３は、半導体発光素子であるＬＥＤを有し、Ｒ，Ｇ，Ｂの原色光を時分割で繰返し出射する。
【００１８】
光源部２３が有するＬＥＤは、広義でのＬＥＤとして、ＬＤ（半導体レーザ）や有機ＥＬ素子を含むものとしても良い。この光源部２３からの原色光が、ミラー２４で反射されて上記マイクロミラー素子２２に照射される。
【００１９】
そして、マイクロミラー素子２２での反射光で光像が形成され、形成された光像が投影レンズ部２５を介して、このサイネージ装置１０が備える図示しないスクリーンボードに投射される。
【００２０】
このサイネージ装置１０は、上記スクリーンボードで光像を投影する装置筐体の前面側に向けた人感センサＰＥを備える。この人感センサＰＥは、例えば焦電センサで構成され、サイネージ装置１０前方の人の存在を検出するもので、その検出信号が上記バスＢを介して下記ＣＰＵ２６に送られる。
【００２１】
上記各回路の動作すべてをＣＰＵ２６が制御する。このＣＰＵ２６は、メインメモリ２７及びプログラムメモリ２８と直接接続される。メインメモリ２７は、例えばＳＲＡＭで構成され、ＣＰＵ２６のワークメモリとして機能する。プログラムメモリ２８は、電気的書換可能な不揮発性メモリ、例えばフラッシュＲＯＭで構成され、ＣＰＵ２６が実行する動作プログラムや後述する切替時間テーブルを含む各種定型データ等を記憶する。
【００２２】
ＣＰＵ２６は、上記プログラムメモリ２８に記憶されている動作プログラムや定型データ等を読出し、メインメモリ２７に展開して記憶させた上で当該プログラムを実行することにより、このサイネージ装置１０を統括して制御する。
【００２３】
図３は、プログラムメモリ２８に記憶された切替時間テーブルの内容を例示するものである。同図では、サイネージ装置１０の前方で表示が存在しない状態で、その時点で再生している動画コンテンツと次に再生する予定の動画コンテンツとの関連度に対応して、人不在時ようの動画コンテンツに切り替えるための判断時間を定義して記憶するものとする。
【００２４】
さらに上記ＣＰＵ２６は、操作部２９からの操作信号に応じて各種投影動作を実行する。この操作部２９は、サイネージ装置１０の本体に備える、電源キーを含むいくつかの操作キーのキー操作信号、またはスクリーンボードの一部に仮想的に投影する操作ボタンへの操作を検出する赤外線センサアレイからの検出信号を受付け、受付けた操作に応じた信号を上記ＣＰＵ２６へ送出する。
【００２５】
上記ＣＰＵ２６はさらに、上記バスＢを介して音処理部３０、無線ＬＡＮインタフェース（Ｉ／Ｆ）３２と接続される。  
音処理部３０は、ＰＣＭ音源等の音源回路を備え、投影動作時に上記コンテンツメモリ２０から読出される動画コンテンツに付帯された音データをアナログ化し、スピーカ部３１を駆動して放音させ、あるいは必要によりビープ音等を発生させる。
【００２６】
無線ＬＡＮインタフェース３２は、無線ＬＡＮアンテナ３３を介して図示しない最寄りの無線ＬＡＮルータと接続し、データの送受を行なうもので、図示しないコンテンツ配信サーバからコンテンツメモリ２０に記憶させるコンテンツデータの配信を受ける。
【００２７】
次に上記実施形態の動作について説明する。  
なおこのサイネージ装置１０において、ＣＰＵ２６がプログラムメモリ２８から読出し、メインメモリ２７に展開した上で実行する動作プログラムや定型データ等は、サイネージ装置１０が製品として工場から出荷された当時に予めプログラムメモリ２８に記憶されていたもののみならず、サイネージ装置１０が店舗等に設置された時点でも、外部のネットワークを介して適宜バージョンアップ等の処理により更新記憶された内容を含む。
【００２８】
図４は、サイネージ装置１０の操作部２９で電源キーにより電源が投入されてからＣＰＵ２６が実行する、動画コンテンツの再生順序制御の処理内容を示すフローチャートである。
【００２９】
電源投入当初にＣＰＵ２６は、コンテンツメモリ２０に記憶している先頭となる動画コンテンツ「動画Ａ」を読出して投影画像駆動部２１にセットし（ステップＳ１０１）、同投影画像駆動部２１、マイクロミラー素子２２、光源部２３を用いて投影レンズ部２５により画像を投影させるとともに、同動画コンテンツに付帯された音データを音処理部３０に送出してスピーカ部３１より拡声出力させる再生処理を実行する（ステップＳ１０２）。
【００３０】
同時にＣＰＵ２６は、人感センサＰＥの検出信号を取得し、その履歴としてメインメモリ２７に保持する（ステップＳ１０３）。
【００３１】
続いてＣＰＵ２６は、その時点で再生している動画コンテンツの終了から一定時間前、例えば０．５［秒］前となったか否かにより、当該動画コンテンツの終了タイミングとなったか否かを判断する（ステップＳ１０４）。
【００３２】
ここで再生している動画コンテンツの終了から一定時間前とはなっておらず、当該動画コンテンツの終了タイミングではないと判断した場合（ステップＳ１０４のＮｏ）、ＣＰＵ２６は再び上記ステップＳ１０２からの処理に戻り、当該動画コンテンツの再生状態を継続する。
【００３３】
こうしてステップＳ１０２〜Ｓ１０４の処理を繰返し実行し、再生している動画コンテンツの終了から一定時間前となって、当該動画コンテンツの終了タイミングであると判断した時点で（ステップＳ１０４のＹｅｓ）、ＣＰＵ２６はメインメモリ２７に保持した人感センサＰＥの検出信号の履歴により、サイネージ装置１０の前から人が離脱したタイミングＴｈをサーチする（ステップＳ１０５）。
【００３４】
これは、人感センサＰＥの検出出力が予め設定した閾値より急峻に低下した人離脱タイミングＴｈがあり、現在もその状態が継続しているかどうかを履歴からサーチするものであり、そのサーチの結果に応じて、サイネージ装置１０の前から人が離脱して不在となっているか否かを判断する（ステップＳ１０６）。
【００３５】
ここで人感センサＰＥの検出出力が予め設定した閾値より急峻に低下した人離脱タイミングＴｈがなく、サイネージ装置１０の前には依然として人が存在していると判断した場合（ステップＳ１０６のＮｏ）、ＣＰＵ２６は次に再生する動画コンテンツをコンテンツメモリ２０から読出して投影画像駆動部２１にセットした上で（ステップＳ１０７）、再び上記ステップＳ１０２からの処理に戻り、あらたにセットした動画コンテンツに基づいた再生動作を続行する。
【００３６】
こうしてサイネージ装置１０の前に人が存在する状態では、コンテンツメモリ２０に記憶する動画コンテンツ「動画Ａ」〜「動画Ｅ」を循環的に再生し続ける。
【００３７】
また上記ステップＳ１０６において、人感センサＰＥの検出出力が予め設定した閾値より急峻に低下したタイミングがあり、その時点でサイネージ装置１０の前には人が存在していないと判断した場合（ステップＳ１０６のＹｅｓ）、ＣＰＵ２６は現在再生している動画コンテンツと次に再生する動画コンテンツとの関連度を上記図２に示した関連度テーブルを参照して取得する（ステップＳ１０８）。
【００３８】
そして、取得した関連度に対応する切替経過時間Ｔｓを上記図３で示した切替時間テーブルを参照して取得する（ステップＳ１０９）。
【００３９】
次いでＣＰＵ２６は、現在の時刻から上記ステップＳ１０５でサーチした人離脱タイミングＴｈを減算してその差、すなわち人が離脱してから経過した時間が、直前のステップＳ１０９で取得した切替経過時間Ｔｓを超えているか否かを判断する（ステップＳ１１０）。
【００４０】
ここで人が離脱してから経過した時間が、切替経過時間Ｔｓを超えていないと判断した場合（ステップＳ１１０のＮｏ）、ＣＰＵ２６は上記ステップＳ１０７に進み、その時点で再生している動画コンテンツの次に再生する動画コンテンツをコンテンツメモリ２０から読出して投影画像駆動部２１にセットした上で、再び上記ステップＳ１０２からの処理に戻り、あらたにセットした動画コンテンツに基づいた再生動作を続行する。
【００４１】
また上記ステップＳ１１０において、人が離脱してから経過した時間が、切替経過時間Ｔｓを超えたと判断した場合（ステップＳ１１０のＹｅｓ）、ＣＰＵ２６は上記メインメモリ２７に保持している人離脱タイミングＴｈと人感センサＰＥの検出信号の履歴を共にクリアすると共に、それまでの一連の動画コンテンツに代えて、コンテンツメモリ２０から人不在時用の動画コンテンツを読出して投影画像駆動部２１にセットして再生を開始する（ステップＳ１１１）。
【００４２】
図５は、「動画Ａ」を再生している途中でサイネージ装置１０の前から人が離脱した場合の、人不在用の動画コンテンツの再生に至るまでの過程を例示する図である。
【００４３】
この場合「動画Ａ」と次の「動画Ｂ」との関連度は上記図２に示すように「高」であるため、図３に示すように切替判断時間Ｔｓとして「１００［分］」が読出される。
【００４４】
したがって、「動画Ａ」の再生途中の人が離脱したタイミングＴｈから「１００［分］」以上が経過し、上記「動画Ａ」に続く「動画Ｂ」「動画Ｃ」の再生が終了する、違和感のない自然なタイミングで、続いて「動画Ｄ」ではなく人不在時用の動画コンテンツの再生が開始されることになる。
【００４５】
その後ＣＰＵ２６は、人感センサＰＥの検出信号によりサイネージ装置１０の前に人が存在したか否かを判断し（ステップＳ１１２）、存在していないと判断した場合は（ステップＳ１１２のＮｏ）、上記ステップＳ１１１からのの処理に戻る。
【００４６】
こうしてステップＳ１１１，Ｓ１１２の処理を繰返し実行しながら、サイネージ装置１０の前に人がいない状態では人不在時用の動画コンテンツの再生を継続する。
【００４７】
そして上記ステップＳ１１２において、サイネージ装置１０の前に人が存在したと判断下時点で（ステップＳ１１２のＹｅｓ）、ＣＰＵ２６は上記ステップＳ１０１からの処理に戻って、電源投入時と同様に、コンテンツメモリ２０に記憶している先頭となる動画コンテンツ「動画Ａ」を読出して投影画像駆動部２１にセットし、以下人が存在する場合の動画コンテンツの再生状態に復帰する。
【００４８】
以上詳記した如く本実施形態によれば、人が存在しないと思われる状態でも、それまで再生していた動画コンテンツとの関連度に対応して次の動画コンテンツを適宜再生し続け、適切な時間が経過したと判断された時点で、それまで再生していた動画コンテンツの終了を待って、人不在時用の動作に移行するようにしたため、複数のコンテンツを、違和感なく、より自然に出力させることが可能となる。
【００４９】
加えて上記実施形態では、人が不在となった時間を計時し、その計時値を予め設定した閾値と比較し、その比較結果に基づいて上記記憶手段から対応する関連度の動画コンテンツを選択して再生させるものとしたので、各コンテンツ毎の関係性を鑑みて、より適切なコンテンツの再生状態に設定できる。
【００５０】
さらに上記実施形態では、人の存在が検出されない状態で出力する不在時用コンテンツをさらにコンテンツメモリ２０に記憶しておき、人離脱時のタイミングＴｈから予め設定した下時間以上が経過した際に、その時点で再生していた動画コンテンツの終了を待って、人不在時用のコンテンツの再生に移行するようにしたため、きわめて自然に人不在時用の動作に移行できる。
【００５１】
なお上記実施形態では説明しなかったが、複数のコンテンツを一連の流れを持って連続的に再生するのではなく、不連続なコンテンツ間にも何らかの関連を持たせるものとし、人離脱時のタイミングＴｈから経過した時間に応じて、コンテンツメモリ２０に記憶される動画コンテンツから関連度に基づいたコンテンツをランダムに選択して読出し、再生させるものとしても良い。
【００５２】
こうすることで、複数のコンテンツを、違和感なく、且つ再生に変化を持たせた上でより自然に出力させることが可能となる。
【００５３】
上記実施形態では、コンテンツメモリ２０に記憶する一連の複数のコンテンツ間に対し、１次元的な関連度の有無、あるいは高低に基づいて制御を行なうものとして説明したが、例えば複数のコンテンツが階層的な関係性を有するものとして、その階層などの関係性に基づいた制御を行なうものとしても良い。
【００５４】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００５５】
以下に、本願出願の当初の特許請求の範囲に記載された発明を付記する。  
［請求項１］  
人の存在を検出する検出手段と、  
コンテンツを出力する出力手段と、  
上記検出手段で人の存在が検出されない場合、出力しているコンテンツと次に出力予定のコンテンツとの関係性に基づいて上記出力手段で出力するコンテンツを切替える制御手段と、  
を備えることを特徴とするコンテンツ出力装置。  
［請求項２］  
相互の関係性を定義した複数のコンテンツを記憶する記憶手段をさらに備え、  
上記出力手段は、上記記憶手段で記憶するコンテンツを出力する  
ことを特徴とする請求項１記載のコンテンツ出力装置。  
［請求項３］  
上記検出手段で人の存在が検出されない継続時間を計時する計時手段をさらに備え、  
上記制御手段は、上記計時手段の計時値を予め設定した閾値と比較し、その比較結果に基づいて上記記憶手段から対応する関係性のコンテンツを選択して読出し、上記出力手段で出力させる  
ことを特徴とする請求項２記載のコンテンツ出力装置。  
［請求項４］  
上記制御手段は、上記計時手段の計時値を予め設定した閾値と比較し、その比較結果に基づいて上記記憶手段から対応する関係性のコンテンツをランダムに選択して読出し、上記出力手段で出力させる  
ことを特徴とする請求項３記載のコンテンツ出力装置。  
［請求項５］  
上記記憶手段は、人の存在が検出されない状態で出力する不在時用コンテンツをさらに記憶し、  
上記制御手段は、上記計時手段の計時値を予め設定した閾値と比較し、その比較結果に基づいて上記記憶手段から不在時用コンテンツを選択して読出し、上記出力手段で出力させる  
ことを特徴とする請求項３または４記載のコンテンツ出力装置。  
［請求項６］  
コンテンツを出力する出力部とを備えた装置でのコンテンツ出力方法であって、  
人の存在を検出する検出工程と、  
上記検出工程で人の存在が検出されない場合、その時点で出力しているコンテンツと次に出力予定のコンテンツとの関係性に基づいて上記出力部で出力するコンテンツを切替える制御工程と、  
を有することを特徴とするコンテンツ出力方法。  
［請求項７］  
コンテンツを出力する出力部とを備えた装置が内蔵するコンピュータが実行するプログラムであって、上記コンピュータを、  
人の存在を検出する検出手段、及び  
上記検出手段で人の存在が検出されない場合、その時点で出力しているコンテンツと次に出力予定のコンテンツとの関係性に基づいて上記出力部で出力するコンテンツを切替える制御手段、  
として機能させることを特徴とするプログラム。
【符号の説明】
【００５６】
１０…サイネージ装置、
２０…コンテンツメモリ、
２１…投影画像駆動部、
２２…マイクロミラー素子、
２３…光源部、
２４…ミラー、
２５…投影レンズ部、
２６…ＣＰＵ、
２７…メインメモリ、
２８…プログラムメモリ、
２９…操作部、
３０…音処理部、
３１…スピーカ部、
３２…無線ＬＡＮインタフェース（Ｉ／Ｆ）、
３３…無線ＬＡＮアンテナ、
Ｂ…バス、
ＰＥ…人感センサ。
【図１】
2017011378.tif 000003
【図２】
2017011378.tif 000004
【図３】
2017011378.tif 000005
【図４】
2017011378.tif 000006
【図５】
2017011378.tif 000007